(57)【要約】【課題】横電界及びクロストークの悪影響を回避する。【解決手段】入力画像信号の水平周波数と同一周波数の信号に同期し走査信号を各走査線に順次転送するための転送クロックを自走式で発生して、タイミング信号として出力する転送クロック生成手段８１と、入力画像の垂直同期信号に近接して発生する転送クロックに同期した垂直リセット信号を生成する垂直リセット信号生成手段８２と、転送クロック及び垂直リセット信号に基づいて垂直走査の開始タイミングを規定する走査スタートパルスを生成して、タイミング信号として出力する走査スタートパルス生成手段８３と、転送クロック及び垂直リセット信号に基づいて入力画像信号を遅延させて、各データ線に供給する書込み画像信号を生成する書込み画像生成手段８６とを具備したことを特徴とする。【選択図】      図１５
2005258419.tif 000002
【特許請求の範囲】
【請求項１】
格子状に配設された複数のデータ線及び複数の走査線の各交差に対応して画素が構成され、前記走査線に供給される走査信号によって前記画素に設けられたスイッチング素子がオンされることによって前記データ線に供給された画像信号が前記スイッチング素子を介して各画素の画素電極に与えられて駆動される表示部に対して、前記走査信号を供給するためのタイミング信号を発生するものであって、
入力画像信号の水平周波数と同一周波数の信号に同期し前記走査信号を前記各走査線に順次転送するための転送クロックを自走式で発生して、前記タイミング信号として出力する転送クロック生成手段と、
前記入力画像の垂直同期信号に近接して発生する前記転送クロックに同期した垂直リセット信号を生成する垂直リセット信号生成手段と、
前記転送クロック及び前記垂直リセット信号に基づいて垂直走査の開始タイミングを規定する走査スタートパルスを生成して、前記タイミング信号として出力する走査スタートパルス生成手段と、
前記転送クロック及び前記垂直リセット信号に基づいて前記入力画像信号を遅延させて、前記各データ線に供給する書込み画像信号を生成する書込み画像生成手段とを具備したことを特徴とする電気光学装置の駆動回路。
【請求項２】
請求項１に記載の電気光学装置の駆動回路と、
前記転送クロック生成手段及び前記走査スタートパルス生成手段の出力に基づいて前記走査信号を発生する走査ドライブ手段と、
前記書込み画像生成手段からの書込み画像信号を前記各データ線に供給するデータドライブ手段と、
前記表示部とを具備したことを特徴とする電気光学装置。
【請求項３】
格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間したｎ（ｎは２以上の整数）本のラインの走査線を選択して順次ゲートパルスを供給し、次の１水平期間には選択するｎ本のラインを夫々１ラインずつシフトさせる走査ドライブ手段と、
前記入力画像の水平周波数と同一周波数の信号に同期した転送クロックを自走式で発生し、発生した前記転送クロックに基づいて前記入力画像の垂直同期信号をリタイミングして垂直リセット信号を生成し、生成した前記垂直リセット信号及び前記転送クロックに基づいて、前記走査信号を発生させるためのタイミング信号を生成して前記走査ドライブ手段に与えるタイミング信号生成手段と、
前記入力画像の画像信号とその遅延信号とを合成し、前記入力画像の水平周波数に対してｎ倍の水平周波数の合成画像を前記走査ドライブ手段の走査に応じた信号配列で配列し、配列した合成画像を前記垂直リセット信号及び前記転送クロックに基づいて遅延させて書込み画像を得る書込み画像生成手段と、
前記書込み画像生成手段からの書込み画像の画像信号が入力され、前記入力画像の水平周期の１／ｎ倍の水平書込み期間毎に極性反転させて前記複数のソース線に夫々供給するデータドライブ手段とを具備したことを特徴とする電気光学装置。
【請求項４】
前記タイミング信号生成手段は、
前記入力画像信号の水平周波数と同一周波数の信号に同期し前記走査信号を前記各走査線に順次転送するための転送クロックを自走式で発生して前記タイミング信号として出力する転送クロック生成手段と、
前記入力画像の垂直同期信号に近接して発生する前記転送クロックに同期した垂直リセット信号を生成する垂直リセット信号生成手段と、
前記転送クロック及び前記垂直リセット信号に基づいて垂直走査の開始タイミングを規定する走査スタートパルスを生成して、前記タイミング信号として出力する走査スタートパルス生成手段とを具備したことを特徴とする請求項３に記載の電気光学装置。
【請求項５】
前記転送クロックは、ドットクロックに基づいて生成されることを特徴とする請求項３又は４に記載の電気光学装置。
【請求項６】
格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間したｎ（ｎは２以上の整数）本のラインの走査線を選択して順次ゲートパルスを供給し、次の１水平期間には選択するｎ本のラインを夫々１ラインずつシフトさせる走査ドライブ処理と、
前記入力画像の水平周波数と同一周波数の信号に同期した転送クロックを自走式で発生し、発生した前記転送クロックに基づいて前記入力画像の垂直同期信号をリタイミングして垂直リセット信号を生成し、生成した前記垂直リセット信号及び前記転送クロックに基づいて、前記走査信号を発生させるためのタイミング信号を生成してタイミング信号生成処理と、
前記入力画像の画像信号とその遅延信号とを合成し、前記入力画像の水平周波数に対してｎ倍の水平周波数の合成画像を前記走査ドライブ処理における走査に応じた信号配列で配列し、配列した合成画像を前記垂直リセット信号及び前記転送クロックに基づいて遅延させて書込み画像を得る書込み画像生成処理と、
前記書込み画像生成処理によって得られる書込み画像の画像信号が入力され、前記入力画像の水平周期の１／ｎ倍の水平書込み期間毎に極性反転させて前記複数のソース線に夫々供給するデータドライブ処理とを具備したことを特徴とする電気光学装置の駆動方法。
【請求項７】
請求項３乃至５のいずれか１つに記載の電気光学装置を具備したことを特徴とする電子機器。
【発明の詳細な説明】
【技術分野】
【０００１】
本発明は、クロストークを軽減するようにした電気光学装置、その駆動方法、電気光学装置の駆動回路及び電子機器に関する。
【背景技術】
【０００２】
電気光学装置、例えば、電気光学物質として液晶を用いた液晶表示装置は、陰極線管（ＣＲＴ）に代わるディスプレイデバイスとして、各種情報処理機器の表示部や液晶テレビ等に広く用いられている。
【０００３】
このような液晶表示装置は、例えば、マトリクス状に配列した画素電極と、この画素電極に接続されたＴＦＴ（Thin Filｍ Transistor : 薄膜トランジスタ）のようなスイッチング素子等が設けられた素子基板と、画素電極に対向する対向電極が形成された対向基板と、これら両基板との間に充填された電気光学物質たる液晶とによって構成される。
【０００４】
ＴＦＴは走査線（ゲート線）を介して供給される走査信号（ゲート信号）によって導通する。走査信号を印加してスイッチング素子を導通状態にした状態で、データ線（ソース線）を介して画素電極に、階調に応じた電圧の画像信号を印加する。そうすると、画素電極と対向電極に、画像信号の電圧に応じた電荷が蓄積される。電荷蓄積後、走査信号を取り去りＴＦＴを非導通状態にしても、各電極における電荷の蓄積状態は、液晶層の容量性や蓄積容量等によって維持される。
【０００５】
このように、各スイッチング素子を駆動させ、蓄積させる電荷量を階調に応じて制御すると、画素毎に液晶の配向状態が変化して光の透過率が変わり、画素毎に明るさを変化させることができる。こうして、階調表示することが可能となる。
【０００６】
ところで、液晶装置では、印加信号の直流成分の印加などによって、例えば、液晶成分の分解、液晶セル中の不純物による汚染が発生し、表示画像の焼き付き等の現象が現れる。そこで、一般的には、各画素電極の駆動電圧の極性を、例えば画像信号におけるフレーム毎に反転させる反転駆動が行われる。面反転駆動は、画像表示領域を構成する全画素電極の駆動電圧の極性を面内で全て同じにして、一定周期で駆動電圧を反転させる方式である。
【０００７】
液晶層及び蓄積容量の容量性を考慮すると、各画素の液晶層に電荷を印加するのは一部の期間のみでよい。従って、マトリクス状に配設された複数の画素を駆動する場合には、同一走査ラインに接続された画素に各走査線によって同時に走査信号を印加し、画像信号をデータ線を介して各画素に供給し、また画像信号を供給する走査線を順次切換えればよい。即ち、液晶表示装置では、走査線及びデータ線を複数の画素について共通化した時分割マルチプレックス駆動が可能となる。
【０００８】
このように、液晶装置では、容量性を考慮して、画素には一部の期間にのみ駆動電圧が印加される。しかしながら、結合容量の影響及び電荷のリークによって、画素電極はＴＦＴがオフの期間においてもソース線電位の影響を受ける。画素の印加電圧のこのような電位変動によって、画面内の表示が不均一となり、特に、中間調領域では画質の劣化が目立ってしまう。
【０００９】
そこで、このような問題点を回避するために、液晶装置においては、１フレーム毎の反転駆動処理と共に、例えばライン毎に駆動電位の極性を異ならせるライン反転駆動等とを組み合わせた反転駆動が採用される。ソース線を介して転送される画像信号の極性を比較的短時間に切換えることで、結合容量の影響及び電荷のリークの影響を低減するのである。
【００１０】
しかしながら、ライン反転駆動方式の場合には、極性が相異なる電圧が印加される列方向又は行方向において、同一基板上の相隣接する画素電極間で電界（以下、横電界という）が生じてしまう。また、ドット毎に駆動電位の極性を異ならせるドット反転駆動方式の場合には、極性が相異なる電圧が印加させる行方向及び列方向に相隣接する画素電極間で横電界が生じる。
【００１１】
隣接する画素間にこのような横電界が生じると、画素電極の一縁辺部は、この横電界の影響を受け、液晶分子の傾斜方向が他の液晶分子と異なる部分が生じやすい。このような液晶分子の配列の乱れ（ディスクリネーション）によって、配向不良の部分に沿ったスジ状の模様（スジむら）が現れる。即ち、ディスクリネーション領域においては光抜けが生じ、また、このディスクリネーション領域を非開口領域とした場合には開口率が低下してしまう。
【００１２】
そこで、特許文献１においては、横電界によるディスクリネーションの発生を抑制すると共に、画面の均一性を確保する手段として、１水平期間内を第１期間と第２期間とに分割し、第１期間において走査線に駆動パルスを供給すると共にデータ線に画像信号を供給することによって各画素電極に画像信号を印加する一方、第２期間においては走査線に駆動パルスを供給せずにデータ線に前とは逆極性の画像信号を供給する技術が提案されている。
【特許文献１】特開平５−３１３６０８号公報
【発明の開示】
【発明が解決しようとする課題】
【００１３】
しかしながら、上記の特許文献１に記載された技術では、画素の書き込みに用いることのできる時間が通常の半分になり、書き込みが不十分になる等の問題が生じる。
【００１４】
本件出願人は、このような課題に対して、１水平期間に例えば２本の異なるラインに対応した２本の走査線を駆動して、それぞれ極性の異なる書き込みを行う駆動方法を開発したが、この駆動においては１垂直期間における水平走査線数が奇数の場合、或いは整数でない場合には、垂直期間の切換り時において書込み時間不足等が生じ、表示画像が劣化してしまうという問題もあった。
【００１５】
本発明はかかる問題点に鑑みてなされたものであって、画面内の表示品位の均一性を確保しながら、ディスクリネーションの発生を抑制すると共に、さらに書き込み不足等の問題が生じることを防止することができる電気光学装置、その駆動方法、電気光学装置の駆動回路及び電子機器を提供することを目的とする。
【課題を解決するための手段】
【００１６】
本発明に係る電気光学装置の駆動回路は、格子状に配設された複数のデータ線及び複数の走査線の各交差に対応して画素が構成され、前記走査線に供給される走査信号によって前記画素に設けられたスイッチング素子がオンされることによって前記データ線に供給された画像信号が前記スイッチング素子を介して各画素の画素電極に与えられて駆動される表示部に対して、前記走査信号を供給するためのタイミング信号を発生するものであって、入力画像信号の水平周波数と同一周波数の信号に同期し前記走査信号を前記各走査線に順次転送するための転送クロックを自走式で発生して、前記タイミング信号として出力する転送クロック生成手段と、前記入力画像の垂直同期信号に近接して発生する前記転送クロックに同期した垂直リセット信号を生成する垂直リセット信号生成手段と、前記転送クロック及び前記垂直リセット信号に基づいて垂直走査の開始タイミングを規定する走査スタートパルスを生成して、前記タイミング信号として出力する走査スタートパルス生成手段と、前記転送クロック及び前記垂直リセット信号に基づいて前記入力画像信号を遅延させて、前記各データ線に供給する書込み画像信号を生成する書込み画像生成手段とを具備したことを特徴とする。
【００１７】
このような構成によれば、表示部は、格子状に配設された複数のソース線及び複数の走査線の各交差に対応して画素が構成され、走査線に供給される走査信号によって画素に設けられたスイッチング素子がオンされ、これにより、ソース線に供給された画像信号がスイッチング素子を介して各画素の画素電極に与えられて駆動される。走査信号はタイミング信号に基づいて発生する。タイミング信号のうちの１つである転送クロックは、入力画像信号の水平周波数と同一周波数の信号に同期して自走式で生成される。垂直リセット信号は、入力画像の垂直同期信号に近接して発生し、転送クロックに同期した信号である。また、走査スタートパルスは、転送クロック及び垂直リセット信号に基づいて生成される。即ち、自走式の転送クロックに基づいて垂直走査を得るためのタイミング信号が生成されており、垂直期間の開始タイミング前後においても、転送クロックの周期が変化することはなく、１垂直期間内の水平期間が整数でない場合或いは１垂直期間内の水平走査線数が奇数個の場合でも、十分な書込み時間で、一定の連続した書込み画像の書込みが行われる。
【００１８】
本発明に係る電気光学装置は、上記電気光学装置の駆動回路と、前記転送クロック生成手段及び前記走査スタートパルス生成手段の出力に基づいて前記走査信号を発生する走査ドライブ手段と、前記書込み画像生成手段からの書込み画像信号を前記各データ線に供給するデータドライブ手段と、前記表示部とを具備したことを特徴とする。
【００１９】
このような構成によれば、走査ドライブ手段は、転送クロック生成手段及び走査スタートパルス生成手段の出力に基づいて走査信号を発生する。これにより、表示部における走査は、自走式の転送クロックに同期するものとなり、垂直期間の開始タイミング前後において、十分な書込み時間が得られると共に、一定の連続した書込み画像の書込みが行われる。
【００２０】
本発明に係る電気光学装置は、格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間したｎ（ｎは２以上の整数）本のラインの走査線を選択して順次ゲートパルスを供給し、次の１水平期間には選択するｎ本のラインを夫々１ラインずつシフトさせる走査ドライブ手段と、前記入力画像の水平周波数と同一周波数の信号に同期した転送クロックを自走式で発生し、発生した前記転送クロックに基づいて前記入力画像の垂直同期信号をリタイミングして垂直リセット信号を生成し、生成した前記垂直リセット信号及び前記転送クロックに基づいて、前記走査信号を発生させるためのタイミング信号を生成して前記走査ドライブ手段に与えるタイミング信号生成手段と、前記入力画像の画像信号とその遅延信号とを合成し、前記入力画像の水平周波数に対してｎ倍の水平周波数の合成画像を前記走査ドライブ手段の走査に応じた信号配列で配列し、配列した合成画像を前記垂直リセット信号及び前記転送クロックに基づいて遅延させて書込み画像を得る書込み画像生成手段と、前記書込み画像生成手段からの書込み画像の画像信号が入力され、前記入力画像の水平周期の１／ｎ倍の水平書込み期間毎に極性反転させて前記複数のソース線に夫々供給するデータドライブ手段とを具備したことを特徴とする。
【００２１】
このような構成によれば、表示部は、格子状に配設された複数のソース線及び複数の走査線の各交差に対応して画素が構成され、走査ドライブ手段から走査線に供給される走査信号によって画素に設けられたスイッチング素子がオンされ、これにより、ソース線に供給された画像信号がスイッチング素子を介して各画素の画素電極に与えられて電気光学物質が駆動される。タイミング信号生成手段は、入力画像の水平周波数と同一周波数の信号に同期した転送クロックを自走式で発生し、発生した転送クロックに基づいて入力画像の垂直同期信号をリタイミングして垂直リセット信号を生成し、生成した垂直リセット信号及び転送クロックに基づいて、走査信号を発生させるためのタイミング信号を生成する。即ち、タイミング信号は、自走式の転送クロックに同期したものとなる。また、書込み画像生成手段は、入力画像の画像信号とその遅延信号とを合成し、入力画像の水平周波数に対してｎ倍の水平周波数の合成画像を走査ドライブ手段の走査に応じた信号配列で配列し、配列した合成画像を垂直リセット信号及び転送クロックに基づいて遅延させて書込み画像を得る。ソース線に供給される画像信号は、入力画像の水平周波数に対してｎ倍の水平周波数の書込み画像の画像信号であり、データドライブ手段によって、入力画像の水平周期の１／ｎ倍の水平書込み期間毎に極性反転されている。走査ドライブ手段は、入力画像の１水平期間に、相互に離間したｎ（ｎは２以上の整数）本のラインの走査線を選択して順次ゲートパルスを供給し、次の１水平期間には選択するｎ本のラインを夫々１ラインずつシフトさせる。これにより、大部分の隣接するライン間では同一極性の画像信号で駆動されることになり、面反転駆動により横電界の発生を防止することができる。こうして、画面内の表示品位の均一性を確保しながら、ディスクリネーションの発生を抑制することができる。垂直走査のタイミングは、自走式の転送クロックによって規定されることになり、垂直期間の開始タイミング前後においても、転送クロックの周期が変化することはなく、１垂直期間内の水平期間が整数でない場合或いは１垂直期間内の水平走査線数が奇数個の場合でも、十分な書込み時間で、一定の連続した書込み画像の書込みが行われる。
【００２２】
前記タイミング信号生成手段は、前記入力画像信号の水平周波数と同一周波数の信号に同期し前記走査信号を前記各走査線に順次転送するための転送クロックを自走式で発生して前記タイミング信号として出力する転送クロック生成手段と、前記入力画像の垂直同期信号に近接して発生する前記転送クロックに同期した垂直リセット信号を生成する垂直リセット信号生成手段と、前記転送クロック及び前記垂直リセット信号に基づいて垂直走査の開始タイミングを規定する走査スタートパルスを生成して、前記タイミング信号として出力する走査スタートパルス生成手段とを具備したことを特徴とする。
【００２３】
このような構成によれば、転送クロックは、入力画像信号の水平周波数と同一周波数の信号に同期して自走式で発生する。この転送クロックに同期して垂直リセット信号が生成され、転送クロック及び垂直リセット信号に基づいて垂直走査の開始タイミングを規定する走査スタートパルスが生成される。即ち、垂直走査のためのタイミング信号は、自走式の転送クロックに同期したものとなる。これにより、垂直期間の開始タイミング前後においても、転送クロックの周期が変化することはなく、１垂直期間内の水平期間が整数でない場合或いは１垂直期間内の水平走査線数が奇数個の場合でも、十分な書込み時間で、一定の連続した書込み画像の書込みが行われる。
【００２４】
また、前記転送クロックは、ドットクロックに基づいて生成されることを特徴とする。
【００２５】
このような構成によれば、入力画像信号の水平周波数と同一周波数の信号に同期した自走式の転送クロックを高精度に生成することができる。
【００２６】
本発明に係る電気光学装置の駆動方法は、格子状に配設された複数のソース線及び複数の走査線の各交差に対応して画素が構成され、前記走査線に供給される走査信号によって前記画素に設けられたスイッチング素子がオンされることによって前記ソース線に供給された画像信号が前記スイッチング素子を介して各画素の画素電極に与えられて電気光学物質が駆動される表示部に対して、前記表示部の画素数に対応した入力画像の１水平期間に、相互に離間したｎ（ｎは２以上の整数）本のラインの走査線を選択して順次ゲートパルスを供給し、次の１水平期間には選択するｎ本のラインを夫々１ラインずつシフトさせる走査ドライブ処理と、前記入力画像の水平周波数と同一周波数の信号に同期した転送クロックを自走式で発生し、発生した前記転送クロックに基づいて前記入力画像の垂直同期信号をリタイミングして垂直リセット信号を生成し、生成した前記垂直リセット信号及び前記転送クロックに基づいて、前記走査信号を発生させるためのタイミング信号を生成してタイミング信号生成処理と、前記入力画像の画像信号とその遅延信号とを合成し、前記入力画像の水平周波数に対してｎ倍の水平周波数の合成画像を前記走査ドライブ処理における走査に応じた信号配列で配列し、配列した合成画像を前記垂直リセット信号及び前記転送クロックに基づいて遅延させて書込み画像を得る書込み画像生成処理と、前記書込み画像生成処理によって得られる書込み画像の画像信号が入力され、前記入力画像の水平周期の１／ｎ倍の水平書込み期間毎に極性反転させて前記複数のソース線に夫々供給するデータドライブ処理とを具備したことを特徴とする。
【００２７】
このような構成によれば、タイミング信号生成処理によって、垂直走査の基となるタイミング信号は、入力画像の水平周波数と同一周波数の信号に同期して自走式で生成された転送クロックに同期する。また、画像生成処理では、入力画像とその遅延信号とが合成され、入力画像の水平周波数に対してｎ倍の水平周波数の画像が走査ドライブ手段の走査に応じた信号配列で配列されて書込み画像が得られ、更に、この書込み画像は、転送クロック及び垂直リセット信号に基づいて遅延される。これにより、垂直走査のタイミングと書込み画像の書込みタイミングとの位相を一致させることができる。書込み画像の画像信号は、データドライブ処理において、水平書込み期間周期で極性反転される。走査ドライブ処理では、複数ラインの走査線が選択され、１水平期間内に順次ゲートパルスが供給される。更に、走査ドライブ処理による次の１走査期間には、選択される走査線がいずれも１ラインずつシフトされる。これにより、隣接するラインの画素には同一極性の書込み画像信号を書込むことができる。また、垂直走査が自走式の転送クロックに同期しているので、垂直期間の開始タイミング前後においても、転送クロックの周期が変化することはなく、１垂直期間内の水平期間が整数でない場合或いは１垂直期間内の水平走査線数が奇数個の場合でも、十分な書込み時間で、一定の連続した書込み画像の書込みが行われる。
【００２８】
また、本発明に係る電子機器は、上記電気光学装置を具備したことを特徴とする。
【００２９】
このような構成によれば、横電界及びクロストークの悪影響を回避した高画質の画像が得られる。
【発明を実施するための最良の形態】
【００３０】
以下、図面を参照して本発明の実施の形態について詳細に説明する。図１乃至図１６は本発明の一実施の形態に係り、図１は本実施の形態に係る電気光学装置を示すブロック図、図２は本実施の形態の電気光学装置において採用される液晶パネルの概略構成図、図３は図２のＨ−Ｈ'線に沿う断面図、図４は液晶パネルの画素領域においてマトリクス状に形成された複数の画素の等価回路図、図５は図１中の走査ドライバ１０４の具体的な構成を示す回路図、図６は図５中の要部の詳細回路図、図７は電気光学装置の動作を説明するためのタイミングチャート、図８は図７中の要部を取りだして示すタイミングチャート、図９は画面のイメージを示す説明図、図１０は画面上の書込み（駆動）の様子を示す説明図である。また、図１１は面反転駆動の例として、１垂直期間毎に画像信号を反転させるフィールド反転駆動の画像信号を示す説明図である。図１２は本駆動方法に用いられる画像信号波形の一例を示す波形図である。また、図１３は垂直期間毎にリセットを行うことができないことによる問題を説明するためのタイミングチャートであり、図１４は１垂直期間の水平走査線数が奇数個の場合の問題を示す説明図である。また、図１５は図１中のコントローラ６１に内蔵されたタイミングジェネレータ及びメモリコントローラの具体的な構成を示すブロック図である。また、図１６はタイミングジェネレータ及びメモリコントローラ８６の動作を説明するためのタイミングチャートである。なお、各図においては、各層や各部材を図面上で認識可能な程度の大きさとするため、各層や各部材毎に縮尺を異ならしめてある。
【００３１】
本実施の形態は、例えば投射型表示装置の光変調装置として用いる液晶ライトバルブに適用した例を示している。
【００３２】
本実施の形態に係る電気光学装置は、電気光学材料である液晶を用いた表示領域１０１ａと、この表示領域１０１ａの各画素を駆動する走査ドライバ１０４及びデータドライバ２０１と、これらの走査ドライバ１０４及びデータドライバ２０１に各種信号を供給するためのコントローラ６１、ＤＡコンバータ（ＤＡＣ）６４及び第１，第２フレームメモリ６２，６３とによって構成されている。
【００３３】
図２は図１中の表示領域１０１ａ、走査ドライバ１０４及びデータドライバ２０１によって構成される液晶パネル１の概略構成を示し、図３はその断面を示している。
【００３４】
液晶パネル１の中央に表示領域１０１ａが形成される。表示領域１０１ａは、素子基板としてガラス基板等の透明基板が用いられ、素子基板上に、画素を駆動するＴＦＴと共に、周辺駆動回路等も形成されている。素子基坂上の表示領域１０１ａには、複数本のゲート線（走査線）Ｇ1 ，Ｇ2 ，…が、図１のＸ（行）方向に延在して形成され、また、複数本のソース線（データ線）Ｓ1 ，Ｓ2 ，…が、Ｙ（列）方向に沿って延在して形成されている。画素１１０は、各走査線と各ソース線との各交差に対応して設けられて、マトリクス状に配列されている。
【００３５】
なお、表示領域１０１ａは、例えばＸＧＡ規格に対応させると、１０２４×７６８の有効画素に対して、ダミー画素を含んだ場合には例えば１０４４×７８０の画素を有している。
【００３６】
液晶パネルは、図２及び図３に示すように、例えば、石英基板、ガラス基板、シリコン基板を用いたＴＦＴ基板１０と、これに対向配置される、例えばガラス基板や石英基板を用いた対向基板２０との間に液晶５０を封入して構成される。対向配置されたＴＦＴ基板１０と対向基板２０とは、シール材５２によって貼り合わされている。
【００３７】
ＴＦＴ基板１０上には画素１１０を構成する画素電極（ＩＴＯ）９等がマトリクス状に配置される。また、対向基板２０上には全面に対向電極（ＩＴＯ）２１が設けられる。ＴＦＴ基板１０の画素電極９上には、ラビング処理が施された配向膜（図示省略）が設けられている。一方、対向基板２０上の全面に渡って形成された対向電極２１上にも、ラビング処理が施された配向膜（図示省略）が設けられている。なお、各配向膜は、例えば、ポリイミド膜等の透明な有機膜からなる。
【００３８】
図４は画素を構成するＴＦＴ基板１０上の素子の等価回路を示している。図４に示すように、表示領域１０１ａにおいては、複数本の走査線Ｇ1 ，Ｇ2 ，…と複数本のソース線Ｓ1 ，Ｓ2 ，…とが交差するように配線され、走査線Ｇ1 ，Ｇ2 ，…とソース線Ｓ1 ，Ｓ2 ，…とで区画された領域に画素電極９がマトリクス状に配置される。そして、走査線Ｇ1 ，Ｇ2 ，…とソース線Ｓ1 ，Ｓ2 ，…の各交差部分に対応してスイッチング手段としてのＴＦＴ３０が設けられ、このＴＦＴ３０に画素電極９が接続される。
【００３９】
各画素１１０を構成するＴＦＴ３０は、ゲートが走査線Ｇ1 ，Ｇ2 ，…に、ソースがソース線Ｓ1 ，Ｓ2 ，…に、ドレインが画素電極９に、それぞれ接続される。画素電極９と対向電極２１との間には電気光学材料たる液晶５０が挟持されて液晶層が形成されている。
【００４０】
各走査線Ｇ1 ，Ｇ2 ，…には後述する走査ドライバ１０４から夫々走査信号Ｇ１，Ｇ２，…Ｇｍが供給される。また、対向電極２１には対向電極電圧が印加される。各走査信号によって、各ライン毎にそのラインの画素を構成する全てのＴＦＴ３０が同時にオンとなり、これにより、後述するデータドライバ２０１から各ソース線Ｓ1 ，Ｓ2 ，…に供給された画像信号（書き込み画像の画像信号）が画素電極９に書込まれる。画像信号が書き込まれた画素電極９と対向電極２１との電位差に応じて液晶５０の分子集合の配向状態が変化して、光の変調が行われ、階調表示が可能となる。
【００４１】
また、画素電極９と並列に蓄積容量７０が設けられており、蓄積容量７０によって、画素電極９の電圧はソース電圧が印加された時間よりも例えば３桁も長い時間の保持が可能となる。蓄積容量７０によって、電圧保持特性が改善され、コントラスト比の高い画像表示が可能となる。
【００４２】
また、図２及び図３に示すように、対向基板２０には表示領域を区画する額縁としての遮光膜５３が設けられている。遮光膜５３の外側の領域には液晶を封入するシール材５２が、ＴＦＴ基板１０と対向基板２０間に形成されている。シール材５２は対向基板２０の輪郭形状に略一致するように配置され、ＴＦＴ基板１０と対向基板２０を相互に固着する。シール材５２は、ＴＦＴ基板１０の１辺の一部において欠落しており、液晶５０を注入するための液晶注入口５２ａが形成される。貼り合わされた素子基板１０及び対向基板２０相互の間隙には、液晶注入口５２ａより液晶が注入される。液晶注入後に、液晶注入口５２ａを封止材２５で封止するようになっている。
【００４３】
シール材５２の外側の領域には、ソース線Ｓ1 ，Ｓ2 ，…に画像信号を所定のタイミングで供給することにより該ソース線Ｓ1 ，Ｓ2 ，…を駆動するデータドライバ２０１及び外部回路との接続のための外部接続端子２０２がＴＦＴ基板１０の一辺に沿って設けられている。この一辺に隣接する二辺に沿って、走査線Ｇ1 ，Ｇ2 ，…を介してＴＦＴ３０の図示しないゲート電極に走査信号を所定のタイミングで供給することによりゲート電極を駆動する走査ドライバ１０４が設けられている。走査ドライバ１０４は、シール材５２の外側のＴＦＴ基板１０の２辺に沿って形成される。また、ＴＦＴ基板１０上には、データドライバ２０１、走査ドライバ１０４、外部接続端子２０２及び上下導通端子１０７を接続する配線１０５が、ＴＦＴ基板１０の縁辺に沿って設けられている。
【００４４】
上下導通端子１０７は、シール材５２のコーナー部の４箇所のＴＦＴ基板１０上に形成される。そして、ＴＦＴ基板１０と対向基板２０相互間には、下端が上下導通端子１０７に接触し、上端が対向電極２１に接触する上下導通材１０６が設けられており、上下導通材１０６によって、ＴＦＴ基板１０と対向基板２０との間で電気的な導通がとられている。
【００４５】
本実施の形態における電気光学装置の駆動回路部６０は、液晶パネル１に含まれるデータドライバ２０１、走査ドライバ１０４の外、図１に示すように、書込み画像生成手段としてのコントローラ６１、第１フレームメモリ６２、第２フレームメモリ６３の２画面分のフレームメモリ、ＤＡコンバータ６４等から構成されている。第１フレームメモリ６２、第２フレームメモリ６３のうちの一方は外部から入力された１フレーム分の映像を一時的に蓄えるためのもの、また他方は表示用に用いられ、１フレーム毎に役割が切換るものである。
【００４６】
コントローラ６１には、垂直同期信号Ｖsync、水平同期信号Ｈsync、ドットクロック信号dotclk及び入力画像の画像信号DATAが入力される。コントローラ６１は、第１フレームメモリ６２、第２フレームメモリ６３の制御、および書き込む走査線に対応したデータのフレームメモリからの読み出しを行う。
【００４７】
コントローラ６１は、メモリ６２，６３を用いることで、外部から入力された画像信号に対して所定時間遅延させた画像信号を得ることができる。例えば、コントローラ６１は、入力された画像信号から相互に垂直期間の１／２の期間だけ前後した画像信号を得ることができる。更に、コントローラ６１は、相互に垂直期間の１／２の期間だけ前後した画像信号を合成して、入力画像の水平周波数の倍の水平周波数の信号に変換し、表示領域１０１ａの後述する走査に応じて画像信号の信号配列を再配列させて出力することができる。
【００４８】
コントローラ６１からの画像信号はＤＡＣ６４に与えられる。ＤＡＣ６４は、コントローラ６１からのディジタル画像信号をアナログ信号に変換してデータドライバ２０１に供給するようになっている。
【００４９】
また、コントローラ６１は、データドライバ２０１及び走査ドライバ１０４を駆動する各種信号を生成する。これらの各種信号を生成するために、コントローラ６１はタイミング信号生成手段としてのタイミングジェネレータ（図示せず）を備えている。タイミングジェネレータは、外部から供給された垂直同期信号Ｖsync、水平同期信号Ｈsync及びドットクロック信号dotclkを基に、各種タイミング信号を生成する。
【００５０】
即ち、コントローラ６１は、タイミングジェネレータを用いて、ディスプレイ駆動用の信号である、転送クロックＣＬＸ等を生成してデータドライバ２０１に出力する。また、コントローラ６１は、走査スタートパルスＤＹ、転送クロックＣＬＹ，／ＣＬＹを生成して走査ドライバ１０４に出力する。また、コントローラ６１は、イネーブル信号ＥＮＢＹ１，ＥＮＢＹ２を生成して、走査ドライバ１０４に供給するようになっている。
【００５１】
本実施の形態においては、転送クロックＣＬＹとして自走のクロックを用いる。この場合においても正しく書込みが行われるように、コントローラ６１は、タイミングジェネレータより各種タイミング信号を生成すると共に、画像信号の出力タイミングを規定するようになっている。タイミングジェネレータ等の詳細については、後述する。
【００５２】
データドライバ２０１は、図示しないサンプリングホールド回路に水平画素数分の画像信号を保持させる。転送クロックＣＬＸは、各ソース線に対応したサンプリングホールド回路のサンプリングタイミングを決定するクロック信号である。データドライバ２０１は、サンプリングホールド回路に保持された画像信号を各ソース線を介して出力する。
【００５３】
コントローラ６１が生成する走査スタートパルスＤＹは、走査の開始を指示するためのパルス信号であり、本実施の形態においては１垂直期間に２回発生する。例えば、コントローラ６１は、１／２垂直期間だけずれたタイミングで走査スタートパルスＤＹを発生させる。走査スタートパルスＤＹが走査ドライバ１０４に入力されることにより、走査ドライバ１０４は各走査線Ｇ1 〜Ｇｍに各画素のＴＦＴ３０をオンにさせる走査信号（以下、ゲートパルスという）（Ｇ１〜Ｇｍ）を出力する。
【００５４】
転送クロックＣＬＹ，／ＣＬＹは、走査側（Ｙ側）の走査速度を規定する信号で、入力画像信号の１水平期間に対応して立上り又は立下るパルスである。後述するように、走査ドライバ１０４は、転送クロックＣＬＹ（／ＣＬＹ）に同期して、ゲートパルスを出力する走査線をシフトさせる。
【００５５】
本実施の形態においては、１垂直期間で２つの走査スタートパルスＤＹが発生するので、表示領域１０１ａでは、１水平期間において、２つの走査スタータパルスのずれに応じたライン数だけ隔てた２ラインの走査線にゲートパルスが供給される。
【００５６】
この場合において、これらの２つの走査線に接続されたＴＦＴ３０が同時にオンとなってソース線を介して転送された同一の画像信号が２ラインの画素電極９に書込まれることがないように、１水平期間を前半と後半に分け、１水平期間の前半と後半とで、これらの２つの走査線に交互にゲートパルスを供給するようになっている。
【００５７】
また、コントローラ６１は、入力画像信号とその遅延信号とを、上述した走査に応じて配列し直すと共に、１水平期間毎に極性反転させてデータドライバ２０１に供給する。例えば、コントローラ６１は、入力画像信号とその遅延信号とを各ライン毎に交互に配列することで、書込み画像を得る。即ち、データドライバ２０１に入力される書込み画像の画像信号は、コントローラ６１に入力される入力画像の画像信号の２倍の伝送レートとなり、表示パネル１では、同一画素信号を２回ずつ画素電極９に書込む、所謂倍速走査が行われることになる。
【００５８】
つまり、データドライバ２０１に入力される画像信号の水平期間は、元の入力画像信号の水平期間Ｈの１／２の期間ｈ（＝Ｈ／２）である。液晶パネル１の表示領域１０１ａの１ラインの画素の書込み期間（以下、水平書込み期間という）は、書込み画像の水平期間に一致させる。
【００５９】
１水平期間Ｈは、２回の水平書込み期間ｈを含み、各水平書込み期間において２ラインの画素に夫々のラインの画像に対応した画素信号が供給される。これらの異なる２ラインの画素信号を、夫々２回の水平書込み期間ｈで書込むために、イネーブル信号ＥＮＢＹ１，ＥＮＢＹ２が用いられる。
【００６０】
次に、図５を参照して走査ドライバ１０４について説明する。
【００６１】
走査ドライバ１０４は、図５に示すように、コントローラ６１から走査スタートパルスＤＹ、クロック信号ＣＬＹ、反転クロック信号／ＣＬＹがそれぞれ入力されるシフトレジスタ６６と、シフトレジスタ６６からの出力が入力されるｍ個のＡＮＤ回路６７を有している。ＡＮＤ回路６７の出力端は夫々ｍ本の走査線Ｇ１〜Ｇｍに接続される。
【００６２】
図６はシフトレジスタ６６の具体的な構成を示している。
【００６３】
クロックドインバータ６６ａに入力される走査スタートパルスＤＹは所定幅のパルスであり、走査スタートパルスＤＹに基づくパルスが、クロックドインバータ６６ａ、インバータ６６ｃ、クロックドインバータ６６ｄ及びインバータ６６ｆを介して各ＡＮＤ回路６７に順次転送される。また、クロックドインバータ６６ｂの出力をＡＮＤ回路６７に与えることで、ＡＮＤ回路６７の出力パルスの立上り，立下りをクロック信号ＣＬＹによって規定している。
【００６４】
更に、ＡＮＤ回路６７にはイネーブル信号ＥＮＢＹ１又はＥＮＢＹ２も入力される。例えば、奇数番目の走査線に対応するＡＮＤ回路６７にはイネーブル信号ＥＮＢＹ１が入力され、偶数番目の走査線に対応するＡＮＤ回路６７にはイネーブル信号ＥＮＢＹ２が入力される。ＡＮＤ回路６７は、３入力の論理和を求めて走査信号として各走査線に出力する。これにより、ゲートパルスのパルス幅はイネーブル信号ＥＮＢＹ１，ＥＮＢＹ２のパルス幅に一致し、このパルス幅が水平書込み期間となる。
【００６５】
次に、図７及び図８を参照して駆動回路部６０の動作を詳細に説明する。
【００６６】
駆動回路部６０においては、図７に示すように、入力される画像信号の１垂直期間中に走査スタートパルスＤＹが２回出力される。走査スタートパルスＤＹは、１水平期間毎に１パルスが立上り、または立下る２水平期間周期のクロック信号ＣＬＹによって、走査ドライバ１０４のシフトレジスタ６６中をシフトしていく。
【００６７】
１垂直期間に２つの走査スタートパルスＤＹが発生するので、例えば、１つ目の走査スタートパルスＤＹに基づいて各走査線のＡＮＤ回路６７から発生する“Ｈ”のゲートパルスは、入力画像信号の水平期間Ｈ周期で次段にシフトし、そのパルス幅はイネーブル信号ＥＮＢＹ１，またはＥＮＢＹ２の“Ｈ”期間によって規定される。また、２つ目の走査スタートパルスＤＹに基づいて各走査線のＡＮＤ回路６７から発生する“Ｈ”のゲートパルスは、入力画像信号の水平期間Ｈ周期で次段にシフトし、そのパルス幅はイネーブル信号ＥＮＢＹ１，またはＥＮＢＹ２の“Ｈ”期間で規定される。
【００６８】
ＥＮＢＹ１、ＥＮＢＹ２を順次立ち上げることにより、１水平期間Ｈ中に、ゲートパルスは走査線ｍ本分離れた画面上の２個所に交互に出力される。次の１水平期間Ｈには、夫々次のラインの走査線に対してゲートパルスが発生する。すなわち、所定の走査線からｍ本離れた走査線に飛び越しては前記所定の走査線の次段の走査線に戻り、その走査線からｍ本離れた走査線に飛び越してはまたその次段の走査線に戻るというように（つまり、走査線Ｇ１ 、走査線（Ｇｍ／２）＋１ 、走査線Ｇ２ 、走査線（Ｇｍ／２）＋２ 、Ｇ３ 、…という順序で）順次出力される。
【００６９】
このように走査スタートパルスＤＹ、イネーブル信号ＥＮＢＹ１、ＥＮＢＹ２を用いることで、液晶パネル１の水平書込み期間を、入力される画像信号の水平期間Ｈの略１／２の期間とする設定での動作が可能となる。
【００７０】
一方、データドライバ２０１からの出力であるデータ信号Ｓｘは、コモン電位ＬＣＣＯＭを中心として１水平書込み期間ｈ毎に正極性電位と負極性電位とに極性が反転する。従って、データ信号Ｓｘ側が１水平書込み期間毎に極性反転しつつ、ゲートパルス側は上記の順番で走査線ｍ本分離れた画面の２個所に交互に出力されることになる。その結果、画面上は、図９に示すように、ある１水平期間に着目すると、例えば走査線Ｇ３ 〜（Ｇｍ／２）＋２ に対応するドット（画素）は正極性電位のデータが書き込まれる領域（以下、単に正極性領域という）となり、走査線Ｇ１ 〜Ｇ２及び（Ｇｍ／２）＋３ 〜Ｇｍに対応するドットは負極性電位のデータが書き込まれる領域（以下、単に負極性領域という）となる。即ち、画面内があたかも異なる極性のデータが書き込まれた正極性領域と負極性領域の３つの領域に分割されたような状態となる。
【００７１】
図９は任意の１水平期間の瞬間を見た画面のイメージを示しており、図１０は時間の流れを追って画面上の極性の変化の状態を示すものである。図１０の横軸を時間（単位：１水平書込み期間）とすると、例えば第１水平書込み期間では走査線Ｇｍ に対応するドットに負電位が書き込まれ、次の第２水平書込み期間では第１水平書込み期間で負電位が書き込まれていた走査線（Ｇｍ／２）＋１ に対応するドットに正電位が書き込まれ、次の第３水平書込み期間では１／２垂直期間以前に正電位が書き込まれていた走査線Ｇ１ に対応するドットに負電位が書き込まれる。
【００７２】
従って、正極性領域と負極性領域はそれぞれ１水平書込み期間ｈ毎に１ラインずつ移動していき、走査線が画面の半分を移動したときに正極性領域と負極性領域とが完全に反転する。つまり１画面の書き換えが行われたことになる。この画面の書換えは１／２垂直周期で行われ、１垂直周期では、各画素はもう一度書き換えられる。即ち、この方法によると、走査線が全画面を移動することにより、書き換えは２度行われることになる。
【００７３】
上述したように、データドライバ２０１に入力される画像信号は、所定期間（図１０の例では１／２垂直周期）前後した同一画像を２倍の伝送レートで配列したものであり、結果的に、液晶パネル１の各画素は、１垂直期間に同一画像が２回書込まれることになり、所謂倍速走査が行われたこととなる。
【００７４】
このように、本実施の形態においては、１垂直期間内に所定の期間ずらして２回書き込みを開始させることで、１水平期間内に２本の走査線にゲートパルスを供給する。そして、この場合には、イネーブル信号を用いることで、１水平期間の半分の時間の水平書込み期間毎に交番的に走査線にゲートパルスを供給して画素への書込みを行う。例えば同一画像信号を１／２垂直期間だけずらしながら、各画素を２回ずつ重ね書きする。即ち、一部（複数本）の走査線を飛び越しつつ、行ったり来たりしながら全ての走査線にわたって１垂直期間に２回ずつの走査が行なわれる。これにより、任意のタイミングでは、画面内には各フィールドに対応して正電位印加領域と負電位印加領域とからなる複数の領域が存在することとなる。以下、このような駆動方法を領域走査反転駆動という。
尚、極性反転のコモン電位ＬＣＣＯＭは、正負のビデオ電位の中心にある電位であり、通常は画素電極に対向する対向電極の電位とほぼ等しくすることができる。また、コモン電位を極性反転のタイミングに合わせて変動させることで、必要なデータ信号の振幅に対して必要な電源電圧を小さくすることも可能である。この場合は、極性反転のタイミングで対向電極に対する画素電位の電位が正極性、負極性と変化するようにデータ信号が調整される。このときコモン電位は、それぞれの極性におけるデータ信号の基準電位となる。
【００７５】
図１１に従来例のひとつである面反転駆動を例として、１垂直期間の画像信号を示す。図１１（ａ）は２垂直期間の画像信号の波形を示し、図１１（ｂ）は図１１（ａ）の画像信号波形と画面上の位置との関係を示している。
【００７６】
図１１に示すように面反転駆動の場合、画像信号は１垂直期間毎に極性が反転している。１垂直期間の終端には、ブランキング期間が設定されている。図１１（ｂ）において、垂直走査期間に相当する領域が有効画素の領域である。これに対し、一般的には、ブランキングでは、次の画面の表示の準備が行われる。
【００７７】
即ち、垂直同期信号の入力期間（ブランキング期間）においては、画面の書き込みは行われないので、垂直同期信号を用いて各種信号（動作）をリセットするようになっている。例えば、垂直同期信号が入力されることよって、転送クロックＣＬＹを作成し、１垂直期間毎にタイミング制御を行う。
【００７８】
これに対し、図１２は上述した領域走査反転駆動に用いられる画像信号波形の一例を示している。正極性又は負極性の１パルスによって１水平書込み期間を示し、振幅は画像信号レベルを示している。なお、図１２では図面を簡略化するために、垂直期間におけるパルス数（水平期間の数）は実際よりも少なく示してある。
【００７９】
ブランキング期間を含む１垂直期間の正極性の画像信号によって、全有効画素の書込み及び次の書込みの準備が行われ、また、ブランキング期間を含む１垂直期間の負極性の画像信号によって、全有効画素の書込み及び次の書込みの準備が行われる。こうして、上述したように、１垂直期間に同一画像による２回の書込みが行われる。
【００８０】
上述したように、１垂直期間に２回の走査スタートパルスが発生し、最初の走査スタートパルスＤＹに基づく書込みと次の走査スタートパルスに基づく書込みとでは、図１２に示すように例えば１／２垂直期間だけ時間差がある。例えば、１回目の走査スタートパルスＤＹに基づいて正極性の画像信号を書き込むものとすると、次の走査スタートパルスに基づいて負極性の画像信号が書き込まれる。上述したように、これらの書込みは、相互に異なる水平書込み期間において行われる。
【００８１】
１／２垂直期間だけ開始がずれた正極性画像信号による書込みと負極性画像信号による書込みとが、水平書込み期間だけずれて同時に進行するので、図１２に示すように、ブランキング期間は１／２垂直周期で現れ、ブランキング期間においては、一方極性の黒レベル信号（ブランキング信号）と逆極性の画像信号とが、隣接して画素に供給されることになる。つまり、領域走査反転駆動では、一方極性のブランキング期間においても他方極性の画像信号による書込みが行われている。
【００８２】
即ち、領域走査反転駆動では、垂直同期信号の入力期間であってもリセットを行うことができない。仮にリセットを行った場合には、書込み動作に影響を与えてしまい、走査速度が変更されたり、書込み画素が変更されてしまったりする。
【００８３】
図１３に１垂直期間あたりの水平期間が整数でない場合の例を示す。図１３（ａ）は垂直同期信号Ｖsyncを示し、図１３（ｂ）は入力画像信号に同期した転送クロックＣＬＹを示している。
【００８４】
例えば、１垂直期間が１２８０．５水平期間で構成される入力画像について、外部から入力された垂直同期信号に同期してリセットを行なった場合、図１３（ｂ）に示すように、垂直同期信号の直前の転送クロックＣＬＹはパルス幅が０．５Ｈになってしまい、転送が正常に行われなくなってしまう。このため、画像が乱れてしまう等の問題が生じる。
【００８５】
図１４は１垂直期間の水平期間が奇数の場合を示している。図８に示すように、走査ドライバ１０４は、２Ｈの周期を持つ転送クロックＣＬＹによって、転送動作を行っている。このため、水平期間が奇数のときに外部から入力された垂直同期信号に同期してリセットを行うと転送クロックＣＬＹが乱れ、この場合もまた画像が乱れてしまう等の問題が生じる。
【００８６】
そこで、本実施の形態においては、垂直同期信号とは無関係に自走する転送クロックＣＬＹを用い、この転送クロックＣＬＹに基づいて各種タイミング信号を生成すると共に、書込み画像信号の入力タイミングを制御するようになっている。これらの制御は、コントローラ６１によって行われる。
【００８７】
図１５は図１中のコントローラ６１に内蔵されたタイミングジェネレータ及びメモリコントローラの具体的な構成を示すブロック図である。
【００８８】
図１５のタイミングジェネレータには、入力画像信号から抽出された垂直同期信号Ｖsync及びコントローラ６１において生成されたドットクロックＣＬＫが入力される。クロックＣＬＫはＣＬＹ生成部８１に入力される。本実施の形態においては、ＣＬＹ生成部８は入力されたクロックＣＬＫに基づいて、入力画像信号の水平周波数の１／２倍の周波数の転送クロックＣＬＹを生成する。即ち、転送クロックＣＬＹは、自走クロックであり、垂直同期信号に同期するとは限らない。ＣＬＹ生成部８１が生成した転送クロックＣＬＹが走査ドライバ１０４に供給される。
【００８９】
ＣＬＹ生成部８１からの転送クロックＣＬＹが各種タイミング信号の基となり、この転送クロックＣＬＹは垂直リセット信号（ｒＶＲＥＳＥＴ）生成部８２、走査スタートパルス（ＤＹ）生成部８３，ＥＮＢＹ生成部８４、水平系タイミング信号生成部８５及びメモリコントローラ８６に出力される。
【００９０】
垂直リセット信号生成部８２は、入力画像信号の垂直同期信号Ｖsync及びクロックＣＬＫも与えられており、垂直同期信号Ｖsyncに近接して発生する転送クロックＣＬＹのタイミングで、垂直リセット信号ｒＶＲＥＳＥＴを発生する。この垂直リセット信号ｒＶＲＥＳＥＴは、走査スタートパルス生成部８３、ＥＮＢＹ生成部８４、水平系タイミング信号生成部８５及びメモリコントローラ８６に出力される。
【００９１】
走査スタートパルス生成部８３は、１垂直期間に２回発生する走査スタートパルスＤＹを生成する。例えば、走査スタートパルス生成部８３は、垂直リセット信号ｒＶＲＥＳＥＴに同期した走査スタートパルスＤＹを生成すると共に、転送クロックＣＬＹをカウントすることで、垂直期間最初の走査スタートパルスＤＹから所定水平期間だけ遅延したタイミングの走査スタートパルスＤＹを生成する。走査スタートパルス生成部８３からの走査スタートパルスＤＹは、走査ドライバ１０４に供給される。また、ＥＮＢＹ生成部８４は、１水平期間Ｈに２回発生するイネーブル信号ＥＮＢＹ１，ＥＮＢＹ２を生成して、走査ドライバ１０４に供給する。
【００９２】
ＣＬＹ生成部８１からの転送クロックＣＬＹ、走査スタートパルス生成部８３からの走査スタートパルスＤＹ及びＥＮＢＹ生成部８４からのイネーブル信号ＥＮＢＹ１，ＥＮＢＹ２は、相互に同期しており、これらのタイミング信号を用いることで、図８に示す垂直系の走査を行うことができる。
【００９３】
また、水平系タイミング信号生成部８５は、転送クロックＣＬＹに基づいて、水平走査系の転送クロックＣＬＸ及び走査スタートパルスＤＸを生成する。走査スタートパルス生成部８３、ＥＮＢＹ生成部８４及び水平系タイミング信号生成部８５によって、水平及び垂直走査系を、転送クロックＣＬＹに同期させることが可能となる。
【００９４】
一方、書込み画像についても、転送クロックＣＬＹに同期させる必要がある。コントローラ６１のメモリコントローラ８６は、クロックＣＬＫ、転送クロックＣＬＹ及び垂直リセット信号ｒＶＲＥＳＥＴに基づいて、第１，第２フレームメモリ６２，６３からの画像信号の読出しを制御する。例えば、メモリコントローラ８６は、入力画像信号の垂直同期信号Ｖsyncと転送クロックＣＬＹとの差に相当する時間だけ、書込み画像の画像信号を遅延させる。これにより、書込み画像の画像信号のタイミングを、水平及び垂直走査系のタイミングに一致させることができる。
【００９５】
次に、タイミングジェネレータ及びメモリコントローラ８６の動作について図１６を参照して説明する。図１６（ａ）は入力画像の垂直同期信号Ｖsyncを示し、図１６（ｂ）はＣＬＹ生成部８１からの転送クロックＣＬＹを示し、図１６（ｃ）は垂直リセット信号生成部８２からの垂直リセット信号ｒＶＲＥＳＥＴを示し、図１６（ｄ）は走査スタートパルス生成部８３からの走査スタートパルスＤＹを示し、図１６（ｅ）はメモリコントローラ８６からの書込み画像の画像信号を示している。なお、図１６（ｅ）は、斜線部及び網線部の下方の数字によって走査線の番号を示しており、正極性の書込み画像信号（斜線）と負極性の書込み画像信号（網線）との書込み開始時間が８００画素分遅延した場合の例を示している。
【００９６】
図１６（ａ）は入力画像信号の垂直同期信号Ｖsyncを示している。一方、ＣＬＹ生成部８１は、入力されたクロックＣＬＫに基づいて、入力画像信号の水平周波数の１／２倍の周波数の転送クロックＣＬＹを生成する。この転送クロックＣＬＹは、図１６（ａ），（ｂ）に示すように、入力画像信号の垂直同期信号Ｖsyncに同期していない。本実施の形態においては、自走式で転送クロックＣＬＹを生成しており、転送クロックＣＬＹに対して、入力画像信号の垂直同期信号Ｖsyncに同期させるための周期の変更等の処理を施すことはない。なお、転送クロックＣＬＹは、入力画像信号の水平同期信号を基に生成してもよい。
【００９７】
垂直リセット信号生成部８２は、図１６（ｃ）に示すように、入力された垂直同期信号Ｖsyncに近接した転送クロックＣＬＹのタイミングで、垂直リセット信号ｒＶＲＥＳＥＴを発生する。即ち、入力画像信号の垂直同期信号Ｖsyncは、装置内部において自走式で生成する転送クロックＣＬＹによってリタイミングされる。
【００９８】
走査スタートパルス生成部８３は、転送クロックＣＬＹ及びこの転送クロックＣＬＹによってリタイミングされた垂直リセット信号ｒＶＲＥＳＥＴを用いて走査スタートパルスＤＹを生成する。例えば、走査スタートパルス生成部８３は、垂直リセット信号ｒＶＲＥＳＥＴ入力後の最初の転送クロックＣＬＹの立上りタイミングに同期させて、走査スタートパルスＤＹを発生する（図１６（ｄ））。こうして、走査は、転送クロックＣＬＹに同期して行われることになる。
【００９９】
一方、メモリコントローラ８６は、転送クロックＣＬＹ及びこの転送クロックＣＬＹによってリタイミングされた垂直リセット信号ｒＶＲＥＳＥＴを用いて、第１，第２フレームメモリ６２，６３の読出しを制御することで、書込み画像の位相を転送クロックＣＬＹに一致させる。即ち、図１６（ｅ）に示すように、メモリコントローラ８６は、転送クロックＣＬＹに同期した走査スタートパルスＤＹの入力後の最初の転送クロックＣＬＹ中に発生するイネーブル信号ＥＮＢＹ１，ＥＮＢＹ２（図８参照）のタイミングに合わせて、垂直期間の最初のラインの画素信号の読出しを行う。こうして、転送クロックＣＬＹに同期した書込み画像信号が得られる。
【０１００】
なお、図１６（ｅ）においては、図１６（ｄ）に示す走査スタートパルスＤＹの１つ前の走査スタートパルスＤＹに基づいて、例えば正極性の画像信号（斜線）による書込みが１水平期間Ｈ毎に行われていることを示しており、更に、図１６（ｃ）に示す垂直リセット信号ｒＶＲＥＳＥＴに基づいた、走査スタートパルスＤＹによって網線にて示す負極性の画像信号による書込みも開始されて、正極性及び負極性の書込み画像信号によって１水平書込み期間（略１／２水平期間）毎に書込みが行われていることを示している。
【０１０１】
このように、垂直リセット信号ｒＶＲＥＳＥＴは、転送クロックＣＬＹに同期して生成され、これらの垂直リセット信号ｒＶＲＥＳＥＴ及び転送クロックＣＬＹに同期して、正極性及び負極性の書込み画像信号の書込みの開始（垂直走査の開始）を規定する走査スタートパルスＤＹも発生する。即ち、正極性書込み画像信号の開始タイミング及び負極性の書込み画像信号の開始タイミングは、入力画像の垂直同期信号Ｖsyncによるリセットを行うことなく、転送クロックＣＬＹに同期する。転送クロックＣＬＹは自走式であり常に一定周期で発生していることから、垂直期間の開始タイミング前後においてゲートパルスは同一間隔で連続的に発生し、図１３及び図１４における不具合が生じることはない。
【０１０２】
このように、本実施の形態においては、画面の半分の広さを持った正極性領域と負極性領域とが１垂直期間で反転することになり、領域毎には面反転駆動が行われる。１垂直期間において、任意の１ドットと隣接する１ドットとの間は水平書込み期間だけ逆極性電位となるが、残りの大部分の時間は同極性電位となっているので、ディスクリネーションはほとんど発生しない。一方、ソース線Ｓ1 ，Ｓ2 ，…には、図８の信号波形Ｓｎに示すように、従来のライン反転駆動と同様の信号極性の信号が転送されることになり、従来の面反転方式で駆動したときのように画面の上側の画素と下側の画素で画素電極−データ線間の時間的な電位の関係に大きな差異が生じることがなく、クロストークを抑制しつつ、画面の場所による表示の不均一を回避することができる。
【０１０３】
更に、入力画像の垂直同期信号を、自走式の転送クロックＣＬＹによってリタイミングし、垂直リセット信号として用いて垂直走査系のタイミング信号及び書込み画像の位相合わせを行っており、垂直期間の開始タイミング前後における転送クロックＣＬＹの動作が乱れることを防止することができる。これにより、入力される１垂直期間の水平期間が整数でない場合、或いは奇数個の走査線によって構成されている場合でも、書込み時間の不足や画像の乱れ等の不具合が発生することを防止することができる。
【０１０４】
［投射型液晶装置］
図１７は上記実施の形態の液晶ライトバルブを３個用いた、いわゆる３板式の投射型液晶表示装置（液晶プロジェクタ）の一例を示す概略構成図である。図中、符号１１００は光源、１１０８はダイクロイックミラー、１１０６は反射ミラー、１１２２，１１２３，１１２４はリレーレンズ、１００Ｒ，１００Ｇ，１００Ｂは液晶ライトバルブ、１１１２はクロスダイクロイックプリズム、１１１４は投射レンズ系を示す。
【０１０５】
光源１１００は、メタルハライド等のランプ１１０２とランプ１１０２の光を反射するリフレクタ１１０１とから構成されている。青色光・緑色光反射のダイクロイックミラー１１０８は、光源１１００からの白色光のうちの赤色光を透過させるとともに、青色光と緑色光とを反射する。透過した赤色光は反射ミラー１１０６で反射され、赤色光用液晶ライトバルブ１００Ｒに入射される。
【０１０６】
一方、ダイクロイックミラー１１０８で反射された色光のうち、緑色光は、緑色光反射のダイクロイックミラー１１０８によって反射され、緑色用液晶ライトバルブ１００Ｇに入射される。一方、青色光は、第２のダイクロイックミラー１１０８も透過する。青色光に対しては、光路長が緑色光、赤色光と異なるのを補償するために、入射レンズ１１２２、リレーレンズ１１２３、出射レンズ１１２４を含むリレーレンズ系からなる導光手段１１２１が設けられ、これを介して青色光が青色光用液晶ライトバルブ１００Ｂに入射される。
【０１０７】
各ライトバルブ１００Ｒ，１００Ｇ，１００Ｂにより変調された３つの色光はクロスダイクロイックプリズム１１１２に入射する。このプリズムは、４つの直角プリズムが貼り合わされ、その内面に赤色光を反射する誘電体多層膜と青色光を反射する誘電体多層膜とが十字状に形成されたものである。これらの誘電体多層膜によって３つの色光が合成されて、カラー画像を表す光が形成される。合成された光は、投射光学系である投射レンズ系１１１４によってスクリーン１１２０上に投射され、画像が拡大されて表示される。
【０１０８】
上記構成の投射型液晶表示装置においては、上記実施の形態の液晶ライトバルブを用いたことにより、表示の均一性に優れた投射型液晶表示装置を実現することができる。
【０１０９】
なお、本発明の技術範囲は上記実施の形態に限定されるものではなく、本発明の趣旨を逸脱しない範囲において種々の変更を加えることが可能である。例えば上記の実施の形態では画面上を異なる極性電位を書き込む２つの領域に分割した例を示したが、分割数はこれに限るものではなく、さらに分割数を多くしても良い。ただし、分割数を多くすればする程、隣接する走査線に逆極性電位が印加された状態となる時間が長くなる。その場合でも、時間にして少なくとも１垂直期間の５０％以上の割合で同極性電位が印加された状態とすることが望ましい。また、各領域内での走査の順序については上記実施の形態に限らず、適宜変更が可能である。
【０１１０】
また、本発明の電気光学装置は、パッシブマトリクス型の液晶表示パネルだけでなく、アクティブマトリクス型の液晶パネル（例えば、ＴＦＴ（薄膜トランジスタ）やＴＦＤ（薄膜ダイオード）をスイッチング素子として備えた液晶表示パネル）にも同様に適用することが可能である。また、液晶表示パネルだけでなく、エレクトロルミネッセンス装置、有機エレクトロルミネッセンス装置、プラズマディスプレイ装置、電気泳動ディスプレイ装置、電子放出を用いた装置（Field Emission Display 及び Surface-Conduction Electron-Emitter Display 等）、ＤＰＬ（Digital Light Processing）（別名ＤＭＤ：Digital Micromirror Device）等の各種の電気光学装置においても本発明を同様に適用することが可能である。
【図面の簡単な説明】
【０１１１】
【図１】本実施の形態に係る電気光学装置を示すブロック図。
【図２】本実施の形態の電気光学装置において採用される液晶パネルの概略構成図。
【図３】図２のＨ−Ｈ'線に沿う断面図。
【図４】液晶パネルの画素領域においてマトリクス状に形成された複数の画素の等価回路図。
【図５】図１中の走査ドライバ１０４の具体的な構成を示す回路図。
【図６】図５中の要部の詳細回路図。
【図７】電気光学装置の動作を説明するためのタイミングチャート。
【図８】図７中の要部を取りだして示すタイミングチャート。
【図９】画面のイメージを示す説明図。
【図１０】画面上の書込み（駆動）の様子を示す説明図。
【図１１】面反転駆動の例として、１垂直期間毎に画像信号を反転させるフィールド反転駆動の画像信号を示す説明図である。
【図１２】領域走査反転駆動に用いられる画像信号波形の一例を示す波形図である。
【図１３】垂直期間毎にリセットを行うことができないことによる問題を説明するためのタイミングチャート。
【図１４】１垂直期間の水平走査線数が奇数個の場合の問題を示す説明図。
【図１５】図１中のコントローラ６１に内蔵されたタイミングジェネレータ及びメモリコントローラの具体的な構成を示すブロック図。
【図１６】タイミングジェネレータ及びメモリコントローラ８６の動作を説明するためのタイミングチャート。
【図１７】上記実施の形態の液晶ライトバルブを３個用いた、いわゆる３板式の投射型液晶表示装置（液晶プロジェクタ）の一例を示す概略構成図。
【符号の説明】
【０１１２】
６０…駆動回路部、６１…コントローラ、６２，６３…フレームメモリ、１０１ａ…表示部、１０４…走査ドライバ、２０１…データドライバ。
【図１】
2005258419.tif 000003
【図２】
2005258419.tif 000004
【図３】
2005258419.tif 000005
【図４】
2005258419.tif 000006
【図５】
2005258419.tif 000007
【図６】
2005258419.tif 000008
【図７】
2005258419.tif 000009
【図８】
2005258419.tif 000010
【図９】
2005258419.tif 000011
【図１０】
2005258419.tif 000012
【図１１】
2005258419.tif 000013
【図１２】
2005258419.tif 000014
【図１３】
2005258419.tif 000015
【図１４】
2005258419.tif 000016
【図１５】
2005258419.tif 000017
【図１６】
2005258419.tif 000018
【図１７】
2005258419.tif 000019